(57)【要約】      （修正有）【課題】室外機を設置できない条件下においてもドレン水の排出を自動的に確実に行うことができる単体式エアコンを提供する。【解決手段】熱交換用のラジエーター１ａ、２ａから発生するドレン水３を蒸発させる超音波蒸発器４と、本体１０機内に溜まったドレン水の水位を検知する水位センサー５と、蒸発水６を排出するファン１ｂ、２ｂを具備している。ラジエーターは各々冷房用と暖房用であって、ファンは各々ラジエーターの送風用のファンである。超音波蒸発器の不図示の電源は、ファンの不図示の電源と共通しており、暖房時においてラジエーター、ファンが稼働している場合、トレー７に溜まったドレン水は水位センサーによって検知され、所定の水位に達すると超音波蒸発器が稼働し、蒸発水は、暖房時と冷房時に別々のファンにより機外に排出される。【選択図】図１
0003233821.tif 000002
【実用新案登録請求の範囲】
【請求項１】
エアコンディショナーであって、
熱交換用のラジエーターから発生するドレン水を蒸発させる超音波蒸発器と、
上記エアコンディショナー機内に溜まった上記ドレン水の水位を検知する水位センサーと、
蒸発水を排出するファンと、
を具備し、
上記エアコンディショナー稼働中の上記水位センサーの検知情報により上記超音波蒸発器を稼働させて上記ドレン水を蒸発させ、該蒸発水を上記ファンにより排出する、
ことを特徴とする単体式エアコン。
【請求項２】
上記超音波蒸発器の電源は上記ファンの電源と共通となっていて、上記超音波蒸発器および上記ファンは連動し、上記超音波蒸発器が稼働する場合には
上記ファンが稼働して上記蒸発水を排出することを特徴とする、請求項１に記載の単体式エアコン。
【請求項３】
上記ラジエーターとして、冷房用のラジエーターと、暖房用のラジエーターとの各１基のラジエーターと、上記各ラジエーターに各１基のファンを具備することを特徴とする、請求項１または２に記載の単体式エアコン。
【請求項４】
上記ラジエーターとして、冷房用のラジエーターを具備し、該ラジエーター用のファンを具備することを特徴とする、請求項１または２に記載の単体式エアコン。
【請求項５】
上記ドレン水を蒸発させる手段として、上記超音波蒸発器の替わりに、上記ドレン水をポンプの圧力により噴霧ノズルで霧にする手段や、上記ドレン水をモーターでかき混ぜて飛ばして細かい水滴にする手段を具備することを特徴とする、請求項１〜４のいずれか１項に記載の単体式エアコン。
【考案の詳細な説明】
【技術分野】
【０００１】
本考案は、単体式エアコンに関する。
【背景技術】
【０００２】
単体式エアコンとは、室外機を有さず、エアコン本体のみで冷暖房を行うエアコンのことである。通常の単体式エアコンは、冷暖房を行う際、必ず冷却する一方のラジエーターからドレン水が発生する。そのドレン水はエアコンの下部に流れて、排水口から排出されることになっているが、設置場所によっては排水が行えない場合もあるため単体式エアコンは設置場所が制限される。
【０００３】
単体式エアコンは、床置式とも言い、室外機がなく、通常熱交換用のラジエーターが２つともに同じ機体の中にある。そして、単体式エアコンで採用しているコンプレッサー式エアコンは、冷暖房ともに作動時にドレン水が発生する。
そのため単体式エアコンでは作動時に冷暖房に関わらず必ず発生するドレン水が機械の下部に流れ、機体内部のトレー等に溜まる。内部に溜まりすぎると、作動不良になるためこのドレン水についてはトレー等を外して手動で排水するか、ホース等を使って機外に排出するか何らかの処置をする必要がある。しかし、手動での排水は手間がかかるし、忘れるとトレー等から溢れて機内に流出しトラブルのもとになる。ホース等による機外への排出についても単体式エアコンの設置状況によっては困難である場合もあり、また可能であってもさらに室外への排水には窓とホース等の取り付けに問題が生じることもある。
これらの問題があるため、どこへでも簡易に設置できるという単体式エアコンの利点が十分に活かせないケースも多く存在する。
【０００４】
特許文献１には単体式エアコンに類似したウインドタイプエアコンのドレン排出方法についての技術が開示されている。
【先行技術文献】
【特許文献】
【０００５】
【特許文献１】実全昭６０−１１３４２４号公報
【考案の概要】
【考案が解決しようとする課題】
【０００６】
しかしながら、特許文献１のエアコンではドレンの排出を室外に行うことが前提になっており、上記問題点については解消されない。
【０００７】
本考案は上記問題点に鑑み、単体式エアコンのドレン排出を簡易に、確実に行うことができるエアコンを提供することを課題とする。
【課題を解決するための手段】
【０００８】
上記課題を解決するために、請求項１の考案は、エアコンディショナーであって、熱交換用のラジエーターから発生するドレン水を蒸発させる超音波蒸発器と、エアコンディショナー機内に溜まったドレン水の水位を検知する水位センサーと、蒸発水を排出するファンを具備し、エアコンディショナー稼働中の水位センサーの検知情報により超音波蒸発器を稼働させてドレン水を蒸発させ、蒸発水をファンにより排出することを特徴とする。
請求項２の考案は、さらに、超音波蒸発器の電源はファンの電源と共通となっていて、超音波蒸発器およびファンは連動し、超音波蒸発器が稼働する場合にはファンが稼働して蒸発水を排出することを特徴とする。
請求項３の考案は、さらに、ラジエーターとして、冷房用のラジエーターと、暖房用のラジエーターとの各１基のラジエーターと、各ラジエーターに各１基のファンを具備することを特徴とする。
請求項４の考案は、請求項１または２の考案のラジエーターとして、冷房用のラジエーターを具備し、ラジエーター用のファンを具備することを特徴とする。
請求項５の考案は、さらに、ドレン水を蒸発させる手段として、超音波蒸発器の替わりに、ドレン水をポンプの圧力により噴霧ノズルで霧にする手段や、ドレン水をモーターでかき混ぜて飛ばして細かい水滴にする手段を具備することを特徴とする。
【考案の効果】
【０００９】
本考案により、室外機を設置できない条件下においてもドレン水の排出を自動的に確実に行うことができる単体式エアコンが提供される。
【図面の簡単な説明】
【００１０】
【図１】本考案の単体式エアコンの第１の実施形態を示す模式図である。
【図２】本考案の単体式エアコンの第２の実施形態を示す模式図である。
【考案を実施するための形態】
【００１１】
以下、本考案の第１の実施形態について図を用いて説明する。まず本実施形態の構成について説明する。
【００１２】
図１に示すように、本実施形態の単体式エアコン１０は、熱交換用のラジエーター１ａ、２ａから発生するドレン水３を蒸発させる超音波蒸発器４と、本体１０機内に溜まったドレン水３の水位を検知する水位センサー５と、蒸発水６を排出するファン１ｂ、２ｂを具備している。ラジエーター１ａ、２ａは各々冷房用と暖房用であって、ファン１ｂ、２ｂは各々ラジエーター１ａ、２ａの送風用のファンである。
超音波蒸発器３の不図示の電源は、ファン１ｂ、２ｂの不図示の電源と共通となっている。
【００１３】
次に、本実施形態の単体式エアコンの機能について説明する。
単体式エアコン１０の稼働中、すなわち冷房時においてラジエーター１ａ、ファン１ｂが稼働している場合、あるいは暖房時においてラジエーター２ａ、ファン２ｂが稼働している場合、のいずれの場合であってもドレン水３は機内のトレー７に溜まる。なお、冷房時または暖房時のいずれの場合でもラジエーター１ａおよびラジエーター２ａは稼働して、各々冷却され、加熱された状態になっており、冷房時においてはファン１ｂのみが、暖房時においてはファン２ｂのみが稼働することで、室内には冷房時には冷風が、暖房時には暖風が供給される。
上記のトレー７に溜まったドレン水３はフロートスイッチ（浮力スイッチ）等の水位センサー５によって検知され、所定の水位に達すると水位センサー５の情報により超音波蒸発器４が稼働し、ドレン水３を蒸発させ、図１に示すように蒸発水６は、冷房時はファン１ｂにより機外に排出され、また、暖房時はファン２ｂにより機外に排出される。
超音波蒸発器４と、ファン１ｂまたは２ｂは連動しており、超音波蒸発器４が稼働する場合には常にファン１ｂ（冷房時）または２ｂ（暖房時）を稼働させるように設定されており、これにより蒸発水６は確実に機外に排出されることとなる。
【００１４】
次に、本考案の第２の実施形態について説明する。
まず、本実施形態の構成について説明する。
本実施形態のエアコンは水冷式エアコンと呼ばれるもので、図２に示すように、ラジエーター１ａと、ファン１ｂのみを備えており、冷房のみを行う。
機能としては第１の実施形態と同様であり、トレー７に溜まったドレン水３はフロートスイッチ（浮力スイッチ）等の水位センサー５によって検知され、所定の水位に達すると水位センサー５の情報により超音波蒸発器４が稼働し、ドレン水３を蒸発させ、蒸発水６はファン１ｂにより機外に排出される。
また、第１または第２の実施形態において、ドレン水３を蒸発させる手段として、不図示のポンプの圧力により噴霧ノズルで霧にする方法や、不図示のモーターでかき混ぜて飛ばして細かい水滴にする方法といった他の手段を用いてもよい。
【００１５】
いずれの実施形態でも、従来は、トレーに溜まったドレン水の手動による排出や、ドレン水のホース等による排出のいずれもできない場合には単体式エアコンそのもの設置を断念せざるを得なかった。しかしながら、例えば壁や窓からの排水が困難な場所で、しかも手動による排水が困難な条件であっても、単体式エアコンが設置可能なのであれば設置して、据え付け工事の負担なく冷暖房を行いたいというニーズは存在する。すなわち、ドレン水の排出がエアコンディショナーを設置する場合の大きな制約条件となっているのである。
【００１６】
本発明は、上述のように、ドレン水を液体から水霧か蒸気にして、空気中に放出することにより、排水制限のないエアコン、いわゆる無排水エアコンを実現するものである。
その具体的な方策として、エアコン内部に、ドレン水を溜めるトレーを設置し、超音波蒸発器を設置して、トレー内のフロートスイッチと連動して、所定の水位に達した時点に超音波蒸発器を作動させ蒸発によってドレン水の水位が所定の位置に下がった時点で超音波蒸発器を止める仕組みになっている。
【００１７】
エアコンでは冷暖房を行う際、熱交換のためファンを動かしてラジエーターを通す風を発生させるため、冷暖房には内部に空気の流れが形成される。この冷暖房時の空気の流れを利用してドレン水の蒸発で発生する霧をエアコンの外部に排出する方式となっている。エアコンの構成上、ファンは最も作動時間が長い装置であり、冷房、暖房、除湿、換気など、ほとんどの動作に、ファンが作動することになっているため、超音波蒸発器の電源をファンの電源と連動するようにし、超音波蒸発器が作動するときは必ずファンが作動するように構成することで排水効率が最大限に高めることができ、ドレン水を確実に機外に配水することができる。
本発明により、上述した問題点を解決して設置場所による制約を受けずに簡易に設置が行える単体式エアコンが提供される。
【符号の説明】
【００１８】
１ａ  冷房用ラジエーター
１ｂ  冷房用ファン
１ｃ  冷気の流れ
２ａ  暖房用ラジエーター
２ｂ  暖房用ファン
２ｃ  暖気の流れ
３  ドレン水
４  超音波蒸発器
５  水位センサー
６  霧の流れ
７  トレー
１０  単体式エアコン
【図１】
0003233821.tif 000003
【図２】
0003233821.tif 000004